(57)【要約】      （修正有）【課題】花束を贈答品の中心に据え、花束をメッセージカードともに受け取った際、受取人の感激が大きく、花束の贈呈と類似のメッセージを相手側に強く伝えることができるとともに、梱包、郵送する外装部材のコストの低減を図り得る郵送可能な挨拶用贈答品を得る。【解決手段】透明な樹脂シート製の筒状の本体１１と、これの両端部１２，１３に折曲可能に連続して設けられ、折曲することで開放両端部を閉塞する閉塞片１４，１６，１７と、宛名記載部１８表面に備える外装用筒状体１０と、花束２０と、メロディ発生器２５と、花束２０を挿入し、包装する漏斗状包み２６と、メッセージカード３０とからなり、外装用筒状体に、漏斗状包みで包装した花束とメッセージカードを挿入し、該外装用筒状体の両端部を閉塞片で閉塞し、宛名記載部に宛名を記入し、内部に収納した花束等を外部から視認可能な状態で郵送可能にした挨拶用贈答品。【選択図】図２
0003109052.tif 000002
【実用新案登録請求の範囲】
【請求項１】
透明な樹脂シート製の筒状の本体と、これの両端部に折曲可能に連続して設けられ、折曲することで開放両端部を閉塞する閉塞片と、宛名を記入する宛名記載部を表面に備える外装用筒状体と、
造花やドライフラワーで形成された花束と、
前記花束とともに設けられ、押圧することでメロディを発生するメロディ発生器と、
前記花束を挿入し、包装する漏斗状包みと、
メッセージを記入するメッセージカードとからなり、
前記外装用筒状体に、漏斗状包みで包装した花束とメッセージを記入したメッセージカードを挿入し、該外装用筒状体の両端部を閉塞片で閉塞し、宛名記載部に宛名を記入し、内部に収納した花束等を外部から視認可能な状態で郵送可能にした、
ことを特徴とする挨拶用贈答品。
【請求項２】
前記外装用筒状体、メロディ発生器を備える花束、漏斗状包み、メッセージカードを、内部を視認可能な透明な包装袋に収納して提供するようにしたことを特徴とする請求項１記載の挨拶用贈答品。
【考案の詳細な説明】
【技術分野】
【０００１】
本考案は、誕生日、クリスマス等の挨拶に贈るグリーティングカード相当の挨拶用贈答品に関するものである。
【背景技術】
【０００２】
誕生日やクリスマス等の記念に、グリーティングカードを交換することが行なわれている。
従来、グリーティングカードを贈呈するに際し、メッセージカードとともにドライフラワーや造花等をメッセージカードに貼り付けて相手に郵送することが試みられ、これによるとグリーティングカードの装飾的効果が高まり、グリーティングカードの付加価値が増大する。
【０００３】
ところで、メッセージカードにドライフラワーや造花を貼り付けて郵送すると、ドライフラワーが変形したり、花びらが散ったりする、という不具合があり、また造花の場合も花が潰れたり、封筒が局部的に膨出したり、破れたりする虞がある。
従来、ドライフラワーをメッセージカードとともに郵送可能としたグリーティングカードが知られている（例えば、特許文献１参照。）。
【特許文献１】特開平２−２６７９５号公報
【０００４】
特許文献１の技術は、同公報の第１図、第２図及び第３図に示されているように、厚紙で形成したグリーティングカード本体１０（特許文献１中の公報の符号をそのまま用いる。以下同じ）に窓３１ａを設けた蒲鉾状の保護部３０を連続して一体に設け、透明保護部材３３を保護部３０の折曲部３２との間に挿入し、透明保護部材３３と折曲部３２との間に台紙２１に固定し、台紙２１に固定したドライフラワー２０を挿入し、ドライフラワー２０は、窓３１ａから透明保護部材３３を通して視認することができる。
本体１０にメッセージを記入し、全体を封筒に収納し、投函して郵送に供するものである。
【０００５】
以上の特許文献１のグリーティングカードは、ドライフラワー２０を台紙２１に貼着し、メッセージを記載する本体１０に連続して設けた窓３１ａを有する保護部３０に透明保護部材３３を介して挿入し、本体１０と保護部３０とを一体化してグリーティングカードとするので、装飾的効果を発揮するドライフラワーの立体感に乏しく、ドライフラワー２０を保護部２３０から取り出す際、ドライフラワー３０が散ったり、壊れたりする虞がある。
【０００６】
上記特許文献１の第４図では、カード本体４０の表面にドライフラワー２０を貼着し、透明の保護部材５３内に挿入し、さらに蒲鉾状保護部５０に収納する例も開示されているが、これも同様の不具合がある。
特に以上の特許文献１の技術は、ドライフラワー、或いはこれに代わって造花の花弁とした装飾花は、何れも台紙やカード本体に貼着して一体化されており、カード自体の装飾機能は有するが、花或いは花束として立体的な感じに乏しく、お祝い等の挨拶用贈答機能において、相手側に大きな感激を与えることにはインパクトに弱い。
【０００７】
また、グリーティングカード本体は葉書大等の大判であり、これに小さなドライフラワーを貼着し、窓を有する保護部３０或いは５０でドライフラワー以外の部分を隠蔽して郵送し、相手側に到達させるので、グリーティングカードの装飾的効果、付加価値増加に関しては充分とは言い難い。
以上の他、グリーティングカード本体と保護部とが一体のもの、別個のもの、何れの構造のものにおいても、厚紙製の外装用保護部の他に透明な保護部材を別に必要とし、透明部分を含む外装材が多く、部品点数が多くなり、コスト的に不利であるとともに、開封する場合も面倒である。
【考案の開示】
【考案が解決しようとする課題】
【０００８】
本考案は、以上の従来のグリーティングカードに鑑みなされたもので、主に花束を贈答品の中心に据え、花束をメッセージカードとメロディともに受け取った際、受取人の感激が大きく、花束の贈呈と類似のメッセージを相手側に強く伝えることができるとともに、外装部材の部品点数が少なく、梱包、郵送する外装部材のコストの低減を図り得る郵送可能な挨拶用贈答品を得ることを課題とする。
【課題を解決するための手段】
【０００９】
請求項１に係る考案は、挨拶用贈答品であって、透明な樹脂シート製の筒状の本体と、これの両端部に折曲可能に連続して設けられ、折曲することで開放両端部を閉塞する閉塞片と、宛名を記入する宛名記載部を表面に備える外装用筒状体と、造花やドライフラワーで形成された花束と、前記花束とともに設けられ、押圧することでメロディを発生するメロディ発生器と、前記花束を挿入し、包装する漏斗状包みと、メッセージを記入するメッセージカードとからなり、前記外装用筒状体に、漏斗状包みで包装した花束とメッセージを記入したメッセージカードを挿入し、該外装用筒状体の両端部を閉塞片で閉塞し、宛名記載部に宛名を記入し、内部に収納した花束等を外部から視認可能な状態で郵送可能にしたことを特徴とする。
【００１０】
請求項２は、請求項１において、前記外装用筒状体、メロディ発生器を備える花束、漏斗状包み、メッセージカードを、内部を視認可能な透明な包装袋に収納して提供するようにしたことを特徴とする。
【考案の効果】
【００１１】
請求項１に係る考案では、透明な外装用筒状体に、漏斗状包みで包装した茎部にメロディ発生器を備える花束とメッセージを記入したメッセージカードを挿入し、外装用筒状体の両端部を閉塞片で閉塞し、宛名記載部に宛名を記入し、内部に収納した花束等を外部から視認可能な状態で郵送可能としたので、外装用筒状体に花束、メッセージカードを挿入して両端を閉じて郵送し、相手側が受け取った際、透明な外装用筒状体を通して内部に花束、メッセージカードを外部から透視することができ、外装用筒状体の両端部を開いて花束、メッセージカードを取り出し、メッセージカードを読み、花束はメッセージカードと独立して受け取り、飾ることができ、また花束とともに設けたメロディ発生器の押圧でメッセージメロディを聴取することができる。
【００１２】
また、花束として透明な筒状体に収納するので、造花等の花束は変形等することなく、原形を保持してメッセージカードとともに収納し、郵送することができる。
包装用外装部材は透明な筒状体のみで足りるので、梱包、外装部材部の品点数が少なく、梱包、郵送する外装部材のコストの低減を図ることができる。
【００１３】
請求項２に係る考案では、請求項１において、外装用筒状体、メロディ発生器を備える花束、漏斗状包み、メッセージカードを、内部を視認可能な透明な包装袋に収納して提供するので、請求項１の効果に加えるに、包装袋に収納した状態で、好みの花やメッセージカードの選択を容易に行なうことができ、また、袋に一括して収納して提供するので、構成部品の逸失等を防止することができる。
【考案を実施するための最良の形態】
【００１４】
本考案を実施するための最良の形態を添付図に基づいて以下に説明する。なお、図面は符号の向きに見るものとする。
図１は、本考案に係る挨拶用贈答品の需用者提供用包装袋に包装した状態の正面図、図２は、提供用包装袋から挨拶用贈答品の構成部品を取り出した状態の正面図である。
【００１５】
提供用包装袋４０は透明な樹脂フィルム製で、正面視矩形で、上端部に開口４１を備え、開口４１の開閉用フラップ４２を備える。贈答品の各部品を内部に収容して包装し、フラップ４２を閉じて開口４１を閉塞し、フラップ４２は開口４１周辺部に粘着剤等で粘着する。
１０は透明な外装用筒状体で、腰のある透明樹脂シートで形成されている。詳細は後述する。
２０は造花等からなる花束で、これについても詳細は後述する。
３０はメッセージカードで、メッセージカード３０は比較的小さく、腰のある、ある程度厚い紙片で形成されており、図示したようなハート形等の模様を付した記入面３１等を備え、メッセージカードの形状や大きさ、模様、着色等は、誕生日の贈答用やクリスマスカード等、用途に応じて任意に設定する。
【００１６】
以上の図２で示した各部品１０，２０，３０を提供用包装袋４０内に収納して図１の状態にし、この状態で店頭等に陳列する。
この状態で、透明な提供用包装袋４０内の各部品１０，２０，３０は視認することができ、購買者の好みの花束２０、メッセージカード３０を収納した提供用包装袋４０を選択することができる。
【００１７】
図３は、未収納状態の外装用筒状体の斜視図、図４は図３のＡ−Ａ線断面図である。
筒状体１０の本体１１は、図３に示したように長い封筒状で、透明な腰のある樹脂シートを図４に示しように薄手状態でループ状にし、側辺の外端部１１ａを折り曲げた対向端部１１ｂに接着や溶着等で接合一体化する。
これにより長い薄手の筒状体を形成する。
【００１８】
筒状体１０の本体１１の両端部１２，１３は開口し、開口した両端部１２，１３の上下の部分に外方に膨出する弧状のフラップ１４，１５，１６，１７を対称的に一体に延設する（図３では上側のフラップ１４，１６が表われているが、この下側に同形状のフラップ１５，１７が隠れている。）。フラップで閉塞片を構成する。
フラップ１４，１５，１６，１７と本体１１の表面部１１ｃ、裏面部１１ｄの連続部には、弧状のフラップ１４，１５，１６，１７と対称形状の折線１４ａ，１５ａ，１６ａ，１７ａを形成しておく。
筒状体１０の本体１１表面１１ｃの中央部には、切手貼付部、郵便番号、住所、宛名、発信人住所、郵便番号等の郵送に必要な宛名記載用紙１８を貼着し、筒状体１０を潰した状態で宛名記載用紙に宛名を記入可能とする。
【００１９】
尚、以上の実施の形態では、宛名記載用紙１８を本体表面１１ｃに事前に貼着した。これに代えて、宛名記載用紙を別部品として用意し、別部品の宛名記載用紙に住所等を記載した後、両面接着テープ等を剥離して表面１１ｃに貼着しても良い。
【００２０】
図５〜図７は、包装可能な状態とした外装用筒状体１０を示し、図５は外観斜視図、図６は図５のＢ−Ｂ線断面図、図７は図５のＣ−Ｃ線断面図である。
筒状体１０の本体１１の両側部１１ｅ，１１ｆを相寄る方向に押圧することで、表面部１１ｅ、裏面部１１ｆは対称的に上下に弧状に弯曲膨出し、図７に示したように断面が二つの円弧を対称的に上下に重ね合わせた中空筒状体を構成する。
【００２１】
筒状体１０の本体１１の両端部に、一体に連続するように設けた弧状のフラップ１４，１５，１６，１７を、折線１４ａ，１５ａ，１６ａ，１７ａから夫々内側に折曲し、フラップ１４と１５、１６と１７とを重ね合わせる。図７のように、本体１１を断面が二つの円弧を対称的に上下に重ね合わせた中空筒状体を形成した状態で、折線１４ａ，１５ａ，１６ａ，１７ａは中央部が内側に弧状に彎曲し、重なったフラップ１４と１５、１６と１７とは両端部で対称的に内側に弧状に弯曲する。
この状態で重なったフラップ１４と１５、１６と１７を粘着テープ等で封止することで、図５〜図７の状態で封緘されることとなる。
【００２２】
図８は、花束の分解正面図である。
花束２０の本体２１は茎部２２の先端部に花部２３、葉部２４等を備える造花で構成されており、花はバラやカーネーション、百合等目的に応じて複数種用意する。
本体２１の茎部２２には、押圧することで電子音によるメロディや言葉によるメッセージ等を発生するメロディ発生器２５を一体的に設置する。
【００２３】
２６は花束包装紙で、透明なフィルム等を漏斗状に巻回して形成し、リボン２７等を結束し、装飾効果をもたせた。
前記花束本体２１を茎部２２を下にして、上開きの漏斗状の花束包装紙２６に矢印で示すように挿入する。
【００２４】
図９及び図１０は、本考案に係る挨拶用贈答品を郵送可能に組み上げる説明的斜視図で、図９は、外装用筒状体に宛名を記載する状態を示す説明的斜視図、図１０は、一端を封緘した外装用筒状体に花束、メッセージカードを挿入し、収納する状態の説明的斜視図である。
前記した図３の扁平な状態で、筒状体１０の本体１１の表面１１ａに貼着、設置されている宛名記載用紙１８に本考案に係る贈答品を贈る相手先の宛名を記入する。
【００２５】
次に、筒状体１０の本体１１を図５に示したように断面が二つの円弧を対称的に上下に重ね合わせた中空筒状体とし、一体側のフラップ１４，１５を重ね合わせ、粘着テープ１９でこの側を封緘し、底を閉塞する。
開放されている他端１３側の開口から、花束本体２１を包装紙２６で包装した状態の花束２０及びメッセージを記入したメッセージカード３０を矢印のように挿入する。
爾後、開放側端部１３のフラップ１６，１７を折曲して重ね合わせ、粘着テープ等で封緘する。
【００２６】
図１１は、内部に花束、メッセージカードを収納した状態の斜視図、図１２は、図１１のＤ−Ｄ２線断面図である。
筒状体１０の両端部を閉塞するフラップ１４，１５，１６，１７は夫々重ね合わされて封緘され、筒状体１０内には花束２０及びメッセージカード３０が収納されている。この状態で宛名記載用紙１８に切手を貼着し、郵送等に供する。
【００２７】
以上においては、透明な外装用筒状体１０内に造花等の花束をメッセージカードどともに収納し、郵送するので、内部の花束が外部から視認することができ、またメッセージカードとともに花束を一緒に贈ることができ、挨拶用（グリーティング用）カード、贈答品としての価値を一側高めることができる。
外装用筒状体１０から花束を取り出し、メッセージカードを読むことで挨拶用贈答品の興趣が一層向上し、さらに花束に付設したメロディ発生器２５を押圧操作等することで、ハッピーバースディ・トー・ユーのメロディ、ウエディングマーチのメロディやお祝いの言葉を電子音で奏鳴、発声させ、受取人に一層の感銘や喜びを与えることができる。
また、樹脂シート状の外装用筒状体１０、造花２０、メッセージカードから構成したので、外装部材も少なくてすみ、安価に提供できるので、手軽に挨拶用のメッセージカードのみに代わる贈答品として有利である。
【００２８】
ところで、図１は本考案に係る挨拶用贈答品の需用者提供用包装袋に包装して提供する状態を示しているが、図１１に示したように外装用筒状体１０の内部に花束、メッセージカードを収納した状態で需用者に提供しても良い。
この場合、宛名記載用紙１８を筒状体１０の本体１１の表面１１ａに未貼着状態とし、宛名記載用紙１８に住所、氏名等の宛名を記載し、爾後両面貼着テープの台紙を剥離し、筒状体１０の本体１１の表面１１ａに貼着しても良い。
これによれば、図１の状態で提供する際に、花束等が販売時等において万一にも潰れたり、変形したりすることが防止できる。
【００２９】
以上、図示した実施の形態について詳述したが、外装用筒状体内に収納する花束は必ずしも造花に限られず、例えば茎付きのドライフラワーを用いても良い。
また、実施の形態ではメロディ発生器を茎部に設けたが、花束の包装紙の外側に設けても良い。
【産業上の利用可能性】
【００３０】
本考案にかかる挨拶用贈答品は、誕生日等のお祝いのグリーティングカードのような用途に好適である。
【図面の簡単な説明】
【００３１】
【図１】本考案に係る挨拶用贈答品の需用者提供用包装袋に包装した状態の正面図である。
【図２】提供用包装袋から挨拶用贈答品の構成部品を取り出した状態の正面図である。
【図３】未収納状態の外装用筒状体の斜視図である。
【図４】図３のＡ−Ａ線断面図である。
【図５】包装可能な状態とした外装用筒状体の外観斜視図である。
【図６】図５のＢ−Ｂ線断面図である。
【図７】図５のＣ−Ｃ線断面図である。
【図８】花束の分解正面図である。
【図９】外装用筒状体に宛名を記載する状態を示す説明的斜視図である。
【図１０】一端を封緘した外装用筒状体に花束、メッセージカードを挿入し、収納する状態の説明的斜視図である。
【図１１】外装用筒状体の内部に花束、メッセージカードを収納した状態の斜視図である。
【図１２】図１１のＤ−Ｄ線断面図である。
【符号の説明】
【００３２】
１０…外装用筒状体、  １１…本体、  １２，１３…両端部、  １４，１５，１６，１７…閉塞片であるフラップ、  ２０…花束、  ２５…メロディ発生器、  ３０…メッセージカード、  ４０…外装用包装材。
【図１】
0003109052.tif 000003
【図２】
0003109052.tif 000004
【図３】
0003109052.tif 000005
【図４】
0003109052.tif 000006
【図５】
0003109052.tif 000007
【図６】
0003109052.tif 000008
【図７】
0003109052.tif 000009
【図８】
0003109052.tif 000010
【図９】
0003109052.tif 000011
【図１０】
0003109052.tif 000012
【図１１】
0003109052.tif 000013
【図１２】
0003109052.tif 000014